(57)【特許請求の範囲】
【請求項１】
第１情報記憶媒体及び第２情報記憶媒体と通信装置との間で通信する通信システムであって、
前記第１情報記憶媒体は、
電磁誘導方式又は電磁結合方式で通信可能な第１ＩＣチップと、
前記第１ＩＣチップに接続され、導電性を有する一対の導電プレートとを備え、
前記第２情報記憶媒体は、
電磁誘導方式又は電磁結合方式で通信可能な第２ＩＣチップと、
前記第２ＩＣチップに接続され、電磁誘導方式又は電磁結合方式により通信する記憶媒体側ループアンテナとを備え、
前記通信装置は、
通信装置側ループアンテナと、
前記通信装置側ループアンテナの両端に接続され、導電性を有する一対の導電部材と、
通信処理をする制御部とを備え、
前記制御部は、
前記一対の導電部材が前記一対の導電プレートに静電結合することにより、前記第１情報記憶媒体の前記第１ＩＣチップとの間で通信処理し、
前記通信装置側ループアンテナが前記記憶媒体側ループアンテナとの間で電磁誘導方式又は電磁結合方式により通信することにより、前記第２情報記憶媒体の前記第２ＩＣチップとの間で通信処理をすること、
を特徴とする通信システム。
【請求項２】
電磁誘導方式又は電磁結合方式で通信可能な第１ＩＣチップと、前記第１ＩＣチップに接続され導電性を有する一対の導電プレートとを備える第１情報記憶媒体との間で通信し、
電磁誘導方式又は電磁結合方式で通信可能な第２ＩＣチップと、前記第２ＩＣチップに接続され電磁誘導方式又は電磁結合方式により通信する記憶媒体側ループアンテナとを備える第２情報記憶媒体との間で通信する通信装置であって、
通信装置側ループアンテナと、
前記通信装置側ループアンテナの両端に接続され、導電性を有する一対の導電部材と、
通信処理をする制御部とを備え、
前記制御部は、
前記一対の導電部材が前記一対の導電プレートに静電結合することにより、前記第１情報記憶媒体の前記第１ＩＣチップとの間で通信処理し、
前記通信装置側ループアンテナが前記記憶媒体側ループアンテナとの間で電磁誘導方式又は電磁結合方式により通信することにより、前記第２情報記憶媒体の前記第２ＩＣチップとの間で通信処理をすること、
を特徴とする通信装置。
【請求項３】
請求項２に記載の通信装置において、
前記一対の導電部材は、複数の前記第１情報記憶媒体を配置し、
前記制御部は、前記複数の前記第１情報記憶媒体の前記各第１ＩＣチップとの間で通信処理すること、
を特徴とする通信装置。
【請求項４】
請求項２に記載の通信装置において、
前記制御部は、前記一対の導電部材が前記一対の導電プレートに静電結合することで前記第１情報記憶媒体の前記第１ＩＣチップとの間で通信処理をすること、及び、前記通信装置側ループアンテナが前記記憶媒体側ループアンテナとの間で電磁誘導方式又は電磁結合方式により通信することで前記第２情報記憶媒体の前記第２ＩＣチップとの間で通信処理をすること、を同時期に実行すること、
を特徴とする通信装置。
【請求項５】
請求項４に記載の通信装置において、
前記第１情報記憶媒体は、認証情報を有しており、
前記制御部は、
前記第１情報記憶媒体の認証情報を通信により読み取る読取処理と、
前記読取処理の認証情報に基づいて、前記第１情報記憶媒体の認証情報を判定する認証処理とを行い、
前記認証処理の判定結果が前記第１情報記憶媒体を認証する場合に、前記第２情報記憶媒体と前記通信装置との間の通信を許可し、
前記認証処理の判定結果が前記第１情報記憶媒体を認証しない場合に、前記第２情報記憶媒体と前記通信装置と間の通信を許可しないこと、
を特徴とする通信装置。
【請求項６】
請求項４に記載の通信装置において、
前記第２情報記憶媒体は、認証情報を有しており、
前記制御部は、
前記第２情報記憶媒体の認証情報を通信により読み取る読取処理と、
前記読取処理の認証情報に基づいて、前記第２情報記憶媒体の認証情報を判定する認証処理とを行い、
前記認証処理の判定結果が前記第２情報記憶媒体を認証する場合に、前記第１情報記憶媒体と前記通信装置との間の通信を許可し、
前記認証処理の判定結果が前記第２情報記憶媒体を認証しない場合に、前記第１情報記憶媒体と前記通信装置と間の通信を許可しないこと、
を特徴とする通信装置。
【請求項７】
電磁誘導方式又は電磁結合方式で近距離無線通信可能なループアンテナと、
前記ループアンテナの両端に接続され、導電性を有し、静電結合方式により通信可能な一対の導電部材と、
前記ループアンテナを介して電磁誘導方式又は電磁結合方式で近距離無線通信可能なＩＣチップとの間で通信処理し、前記一対の導電部材を介して電磁誘導方式又は電磁結合方式で近距離無線通信可能なＩＣチップとの間で通信処理をする制御部と、
を備える通信装置。
【発明の詳細な説明】
【技術分野】
【０００１】
本発明は、電磁誘導方式のＩＣチップを利用した通信システム及び通信装置に関するものである。
【背景技術】
【０００２】
従来、利用者が所持するＩＣカードを電磁誘導方式によって読み取る（又は書き込む）通信システムがあった（例えば特許文献１）。このような通信システムのＩＣカードは、少なくとも非接触通信機能を有するＩＣチップとアンテナコイルにより構成されており、ＩＣカード内に具備されたＩＣチップは、リーダライタから送出された信号より駆動電力の供給を受け、リーダライタから送出されるアナログ信号を受信しデジタル変換し、応答信号を返送することによりデータ送受信を実現している。非接触ＩＣカードは、交通システム、電子マネー、社員証システム、物流管理等の各種システムで用いられている。
非接触ＩＣカード用いた通信方式としては、通信周波数帯域に応じて、電磁結合方式、静電結合方式、電磁誘導方式、電波方式が用いられており、カード形態の非接触ＩＣ通信システムでは、電磁誘導方式が主流となっている。
しかし、電磁誘導方式の通信システムは、ＩＣカードのアンテナコイルをエッチング等により形成するため高コストであった。
【先行技術文献】
【特許文献】
【０００３】
【特許文献１】特開２０００−１２５１２１号公報
【発明の概要】
【発明が解決しようとする課題】
【０００４】
本発明の課題は、電磁誘導方式のＩＣチップを利用した通信システムを低コストで実現できる通信システム及び通信装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、第１情報記憶媒体（４０，２４０，３４０）と通信装置（２０，２２０）との間で通信する通信システム（１０，２１０）であって、前記第１情報記憶媒体は、電磁誘導方式又は電磁結合方式で通信可能な第１ＩＣチップ（４１，２４１）と、前記第１ＩＣチップに接続され、導電性を有する一対の導電プレート（４２Ａ，４２Ｂ，２４２Ａ，２４２Ｂ）とを備え、前記通信装置は、通信装置側ループアンテナ（２１ａ，２２１ａ）と、前記通信装置側ループアンテナの両端に接続され、導電性を有する一対の導電部材（３２Ａ，３２Ｂ，２３２Ａ，２３２Ｂ）と、通信処理をする制御部（２７，２２７）とを備え、前記制御部は、前記一対の導電部材が前記一対の導電プレートに静電結合することにより、前記第１情報記憶媒体の前記第１ＩＣチップとの間で通信処理をすること、を特徴とする通信システムである。
・第２の発明は、第１の発明の通信システムにおいて、前記通信装置との間で通信する第２情報記憶媒体（５０，２５０，３５０）を備え、前記第２情報記憶媒体は、電磁誘導方式又は電磁結合方式で通信可能な第２ＩＣチップ（５１，２５１）と、前記第２ＩＣチップに接続され、前記通信装置側ループアンテナとの間で電磁誘導方式又は電磁結合方式により通信する記憶媒体側ループアンテナ（５２，２５２）とを備え、前記制御部は、前記通信装置側ループアンテナが前記記憶媒体側ループアンテナとの間で電磁誘導方式又は電磁結合方式により通信することにより、前記第２情報記憶媒体の前記第２ＩＣチップとの間で通信処理をすること、を特徴とする通信システムである。
【０００７】
・第３の発明は、電磁誘導方式又は電磁結合方式で通信可能な第１ＩＣチップと、前記第１ＩＣチップに接続され導電性を有する一対の導電プレートとを備える第１情報記憶媒体との間で通信する通信装置（２０，２２０）であって、通信装置側ループアンテナと、前記通信装置側ループアンテナの両端に接続され、導電性を有する一対の導電部材と、通信処理をする制御部とを備え、前記制御部は、前記一対の導電部材が前記一対の導電プレートに静電結合することにより、前記第１情報記憶媒体の前記第１ＩＣチップとの間で通信処理をすること、を特徴とする通信装置である。
・第４の発明は、第３の発明の通信装置において、この通信装置は、電磁誘導方式又は電磁結合方式で通信可能な第２ＩＣチップと、前記第２ＩＣチップに接続され前記通信装置側ループアンテナとの間で電磁誘導方式又は電磁結合方式により通信する記憶媒体側ループアンテナとを備える第２情報記憶媒体との間で通信するものであり、前記制御部は、前記通信装置側ループアンテナが前記記憶媒体側ループアンテナとの間で電磁誘導方式又は電磁結合方式により通信することにより、前記第２情報記憶媒体の前記第２ＩＣチップとの間で通信処理をすること、を特徴とする通信装置である。
・第５の発明は、第３又は４の発明の通信装置において、前記一対の導電部材は、複数の前記第１情報記憶媒体を配置し、前記制御部は、前記複数の前記第１情報記憶媒体の前記各第１ＩＣチップとの間で通信処理すること、を特徴とする通信装置である。
・第６の発明は、第４の発明の通信装置において、前記制御部は、前記一対の導電部材が前記一対の導電プレートに静電結合することで前記第１情報記憶媒体の前記第１ＩＣチップとの間で通信処理をすること、及び、前記通信装置側ループアンテナが前記記憶媒体側ループアンテナとの間で電磁誘導方式又は電磁結合方式により通信することで前記第２情報記憶媒体の前記第２ＩＣチップとの間で通信処理をすること、を同時期に実行すること、を特徴とする通信装置である。
・第７の発明は、第６の発明の通信装置において、前記第１情報記憶媒体は、認証情報を有しており、前記制御部は、前記第１情報記憶媒体の認証情報を通信により読み取る読取処理と、前記読取処理の認証情報に基づいて、前記第１情報記憶媒体の認証情報を判定する認証処理とを行い、前記認証処理の判定結果が前記第１情報記憶媒体を認証する場合に、前記第２情報記憶媒体と前記通信装置との間の通信を許可し、前記認証処理の判定結果が前記第１情報記憶媒体を認証しない場合に、前記第２情報記憶媒体と前記通信装置と間の通信を許可しないこと、を特徴とする通信装置である。
・第８の発明は、第６の発明の通信装置において、前記第２情報記憶媒体は、認証情報を有しており、前記制御部は、前記第２情報記憶媒体の認証情報を通信により読み取る読取処理と、前記読取処理の認証情報に基づいて、前記第２情報記憶媒体の認証情報を判定する認証処理とを行い、前記認証処理の判定結果が前記第２情報記憶媒体を認証する場合に、前記第１情報記憶媒体と前記通信装置との間の通信を許可し、前記認証処理の判定結果が前記第２情報記憶媒体を認証しない場合に、前記第１情報記憶媒体と前記通信装置と間の通信を許可しないこと、を特徴とする通信装置である。
【発明の効果】
【０００８】
本発明によれば、以下の効果を奏することができる。
・第１、３の発明においては、第１情報記憶媒体は、電磁誘導方式又は電磁結合方式で通信可能な第１ＩＣチップと、第１ＩＣチップに接続され導電性を有する一対の導電プレートとを備え、通信装置は、通信装置側ループアンテナと、通信装置側ループアンテナの両端に接続される導電性を有する一対の導電部材とを備える。これにより、一対の導電部材が一対の導電プレートに静電結合することにより、通信装置は、第１情報記憶媒体の第１ＩＣチップとの間で通信処理できる。
また、本発明は、第１情報記憶媒体に一対の導電プレートを設ければ、低コストで第１情報記憶媒体を製造できる。このため、第１情報記憶媒体の発行量が多くなる程、従来のシステムと比較してコスト面で有利になり、低コストでシステムを構築できる。
さらに、本発明は、市場で多く流通している電磁誘導方式又は電磁結合方式の電磁誘導通信装置を流用してシステムを構築できるので、低コストで導入できる。すなわち、情報記憶媒体のＩＣチップとして、市場に多く流通している電磁誘導方式又は電磁結合方式の非接触ＩＣカードに用いられるＩＣチップを流用でき、かつ、既存の非接触ＩＣカード用のリーダライタを流用して装置を構成できる。これにより、静電結合用の特殊なＩＣチップと、静電結合方式の通信装置とを新たに開発する必要なく、システムを構築できる。
【０００９】
・第２、４の発明は、新たなシステムを導入する場合であっても、通信装置側ループアンテナと第２情報記憶媒体の記憶媒体側ループアンテナとが電磁誘導することにより、通信装置は、従来の第２情報記憶媒体と通信することもできる。これにより、新たなシステムを導入しても、第１情報伝達媒体及び従来の第２情報伝達媒体のいずれの情報伝達媒体も使用できる。従って、新たに静電結合方式のシステムを導入する場合に、従来の第２情報伝達媒体を利用でき、従来からのシステムの変更をスムーズに行うことができる。
【００１０】
・第５の発明は、一対の導電部材上に複数の第１情報記憶媒体を配置し、複数の前記第１情報記憶媒体との間で通信処理するので、例えば、第１情報記憶媒体の組み合わせ等を利用した処理を行うことができる。
・第６の発明は、通信装置と第２情報記憶媒体との間、通信装置と第１情報記憶媒体との間において、同時期に通信できる。
また、通信装置は、通信装置側ループアンテナと導電部材とが別々の構成である。そのため、従来の電磁誘導方式の情報記録媒体を２枚重ねて読み取ることができる従来のシステムと比べて、２枚の情報記録媒体を重ねずに同時に読み取ることができる。このため、２枚の情報記録媒体と同時期に通信する際の伝達効率の低下を抑制でき、効率よく安定した通信を行うことができる。
【００１１】
・第７の発明は、制御部が、第１情報記憶媒体の認証情報を通信により読み取る読取処理と、読取処理の認証情報に基づいて、第１情報記憶媒体の認証情報を判定する認証処理とを行い、認証処理の判定結果が第１情報記憶媒体を認証する場合に、第２情報記憶媒体と通信装置との間の通信を許可し、認証処理の判定結果が第１情報記憶媒体を認証しない場合に、第２情報記憶媒体と通信装置との間の通信を許可しない。そのため、第２情報記憶媒体と通信装置との間の通信処理のセキュリティ性を向上させることができる。
・第８の発明は、制御部が、第２情報記憶媒体の認証情報を通信により読み取る読取処理と、読取処理の認証情報に基づいて、第２情報記憶媒体の認証情報を判定する認証処理とを行い、認証処理の判定結果が第２情報記憶媒体を認証する場合に、第１情報記憶媒体と通信装置との間の通信を許可し、認証処理の判定結果が第２情報記憶媒体を認証しない場合に、第１情報記憶媒体と通信装置と間の通信を許可しない。そのため、第１情報記憶媒体と通信装置との間の通信処理のセキュリティ性を向上させることができる。
【図面の簡単な説明】
【００１２】
【図１】第１実施形態の通信システム１０の基本構成を説明する図である。
【図２】第２実施形態のレジスタシステム２１０のブロック図である。
【図３】第２実施形態のレジスタシステム２１０の斜視図である。
【図４】第２実施形態のレジスタシステム２１０の動作のフローチャートである。
【図５】第３実施形態のレジスタシステム３１０の斜視図である。
【図６】第３実施形態のレジスタシステム３１０の動作のフローチャートである。
【図７】は、第４実施形態の通信装置４２０の平面図である。
【図８】比較例の通信システム５１０の基本構成を説明する図である。
【発明を実施するための形態】
【００１３】
（第１実施形態）
以下、図面等を参照して、本発明の第１実施形態について説明する。
なお、以下の説明及び図面において、カード表面及び導電部材表面の法線方向を鉛直方向Ｚとし、鉛直方向Ｚから見た図を適宜平面図といい、平面図の形状を適宜平面形状という。
また、通信装置２０の座標系は、平面図においてリーダライタ２１の長辺が沿う方向を左右方向Ｘとし、平面図において左右方向Ｘに直交し且つリーダライタ２１の短辺が沿う方向を前後方向Ｙとする。また、ＩＣカードの座標系は、平面図においてＩＣカードの長辺が沿う方向を長辺方向Ａとし、平面図において長辺方向Ａに直交し且つＩＣカードの短辺が沿う方向を短辺方向Ｂとする。
【００１４】
（基本構成）
最初に、第１実施形態の通信システム１０の基本構成について説明する。
図１は、第１実施形態の通信システム１０の基本構成を説明する図である。
図１（ａ）は、通信装置２０、リーダライタ２１、静電結合方式ＩＣカード４０、電磁誘導方式ＩＣカード５０の通信方法を説明する斜視図である。
図１（ｂ）は、通信システム１０の基本構成を説明する概念図（図１（ａ）のＢ−Ｂ部矢視断面図の相当する図）である。
【００１５】
通信システム１０は、通信装置２０、静電結合方式ＩＣカード４０（第１情報記録媒体）、電磁誘導方式ＩＣカード５０（第２情報記憶媒体）を備える。
通信装置２０は、本来は、電磁誘導方式のカード側ループアンテナ５２（記憶媒体側ループアンテナ）を備える電磁誘導方式ＩＣカード５０との間のみで、情報を直接送受信可能な装置であるが、実施形態では、電磁誘導方式ＩＣカード５０に加えて、静電結合方式の導電プレート４２Ａ，４２Ｂ（後述する）を備える静電結合方式ＩＣカード４０との間でも情報を送受信する。
【００１６】
通信装置２０は、リーダライタ２１、記憶部２６、制御部２７を備える。
リーダライタ２１は、電磁誘導側リーダライタ部２８、静電結合側リーダライタ部２９を備える。電磁誘導側リーダライタ部２８及び静電結合側リーダライタ部２９は、左右方向Ｘに並列配置されている。
電磁誘導側リーダライタ部２８は、電磁誘導方式で通信する部分である。電磁誘導側リーダライタ部２８は、Ｒ／Ｗループアンテナ２１ａ（通信装置側ループアンテナ）を備える。
Ｒ／Ｗループアンテナ２１ａは、例えば、３回巻き程度のループアンテナであり、大きさが４０ｍｍ×４０ｍｍ程度である。Ｒ／Ｗループアンテナ２１ａは、例えばエッチング等の手法により、プリント配線基板上に銅パターンを配線して形成される。Ｒ／Ｗループアンテナ２１ａの両端の端子は、制御部２７に接続される。
後述するように、Ｒ／Ｗループアンテナ２１ａは、電磁誘導方式ＩＣカード５０のカード側ループアンテナ５２との間で、電磁誘導方式により通信する。
【００１７】
静電結合側リーダライタ部２９は、静電結合方式で通信する部分である。静電結合側リーダライタ部２９は、一対の導電部材３２Ａ，３２Ｂを備える。
一対の導電部材３２Ａ，３２Ｂは、左右方向Ｘに離間して並列配置されている。導電部材３２Ａ，３２Ｂは、鉛直方向Ｚから見た場合に、Ｒ／Ｗループアンテナ２１ａに重ならない位置に配置される。導電部材３２Ａ，３２Ｂは、導電性を有し、銅等の導電性材料を板状に形成した部材である。各導電部材３２Ａ，３２Ｂは、それぞれＲ／Ｗループアンテナ２１ａの両端に電線３３ａ，３３ｂにより電気的に接続されている。導電部材３２Ａ，３２Ｂは、例えば長さ１ｍｍ程度の間隔を隔てて並列配置されている。
後述するように、導電部材３２Ａ，３２Ｂは、静電結合方式ＩＣカード４０の一対の導電プレート４２Ａ，４２Ｂ（後述する）にほぼ密着し（例えば、導電部材３２Ａ，３２Ｂの上面と、導電プレート４２Ａ，４２Ｂの下面との距離Ｌ１が４ｍｍ程度）、かつ、この導電プレート４２Ａ，４２Ｂにそれぞれ対向配置されることにより、導電プレート４２Ａ，４２Ｂと静電結合する。
【００１８】
記憶部２６は、通信装置２０の動作に必要なプログラム、情報等を記憶するための半導体メモリ素子等の記憶装置である。記憶部２６は、静電結合方式ＩＣカード４０や電磁誘導方式ＩＣカード５０に書き込む情報や、静電結合方式ＩＣカード４０や電磁誘導方式ＩＣカード５０の認証情報と照合するための認証情報等を記憶している。
【００１９】
制御部２７は、通信装置２０を統括的に制御するための制御部であり、例えばＣＰＵ等から構成される。制御部２７は、記憶部２６に記憶された各種プログラムを適宜読み出して実行することにより、前述したハードウェアと協働し、本発明に係る各種機能を実現している。
【００２０】
静電結合方式ＩＣカード４０及び電磁誘導方式ＩＣカード５０は、外部接触端子を備えない非接触型のカードである。静電結合方式ＩＣカード４０及び電磁誘導方式ＩＣカード５０の大きさは、クレジットカード等のサイズに限定されるものではなく、用途（例えば切符等）に応じて、任意の大きさに設定できる。
【００２１】
静電結合方式ＩＣカード４０は、第１ＩＣチップ４１、一対の導電プレート４２Ａ，４２Ｂ、下層４３、上層４４を備える。
第１ＩＣチップ４１は、電磁誘導方式で通信可能な集積回路であり、従来の電磁誘導方式のＩＣカードに内蔵されているものと、同種のものである。第１ＩＣチップ４１は、静電結合方式ＩＣカード４０の動作に必要なプログラム、情報等を記憶する記憶部と、この記憶部に記憶された各種プログラムを適宜読み出して実行することにより静電結合方式ＩＣカード４０を統括的に制御する制御部とを備える。
【００２２】
第１ＩＣチップ４１は、厚さが例えば１５０μｍ程度である。第１ＩＣチップ４１は、導電プレート４２Ａ，４２Ｂ間のスリットを跨ぐように配置されている。
第１ＩＣチップ４１の入出力部（リードフレーム等）は、導電プレート４２Ａ，４２Ｂに対して、異方性導電性ペースト、異方性導電性フィルム、導電性接着剤等の接続部材４６によって、それぞれ電気的及び機械的に接続されている。なお、第１ＩＣチップ４１が電磁誘導方式のものであるため、この入出力部は、本来、カード側ループアンテナ５２に接続されるものである。
【００２３】
導電プレート４２Ａ，４２Ｂは、導電性を有し、それぞれ厚さ１０μｍ、短辺×長辺が２０ｍｍ×２５ｍｍのアルミニウム箔である。導電プレート４２Ａ，４２Ｂは、下層４３に貼り付けられている。導電プレート４２Ａ，４２Ｂは、短辺方向Ｂに細長いスリットを介して配列されている。スリット幅は、例えば０．５ｍｍ程度である。
【００２４】
下層４３は、静電結合方式ＩＣカード４０の基材である。下層４３は、例えば、厚さ１８０μｍ、短辺×長辺が２５．０ｍｍ×５７．５ｍｍのＰＥＴ、ＰＥＴ−Ｇ、ＰＶＣ、ポリイミド等の絶縁性フィルム基材である。
上層４４は、絶縁性材料（ＰＥＴ、ＰＥＴ−Ｇ、ＰＶＣ、ポリイミド、紙等）により形成されている。上層４４は、例えば厚さ２００μｍ程度である。上層４４は、第１ＩＣチップ４１、導電プレート４２Ａ，４２Ｂを覆うように、接着材４５（液状、フィルム状の接着剤や、粘着剤等）によって下層４３に貼り付けられている。
【００２５】
電磁誘導方式ＩＣカード５０は、第２ＩＣチップ５１、カード側ループアンテナ５２（記憶媒体側ループアンテナ）を備える。
第２ＩＣチップ５１は、電磁誘導方式で通信可能な集積回路であり、従来の電磁誘導方式のＩＣカードに内蔵されているものである。第２ＩＣチップ５１は、電磁誘導方式ＩＣカード５０の動作に必要なプログラム、情報等を記憶する記憶部と、この記憶部に記憶された各種プログラムを適宜読み出して実行することにより電磁誘導方式ＩＣカード５０を統括的に制御する制御部とを備える。
【００２６】
第２ＩＣチップ５１は、厚さが例えば１５０μｍ程度である。第２ＩＣチップ５１の入出力部（リードフレーム等）は、カード側ループアンテナ５２に接続されている。
【００２７】
カード側ループアンテナ５２は、Ｒ／Ｗループアンテナ２１ａとの間で電磁誘導方式により通信（結合）するアンテナである。カード側ループアンテナ５２は、例えば、３回巻き程度のループアンテナであり、大きさが４０ｍｍ×７０ｍｍ程度である。カード側ループアンテナ５２は、例えば、エッチング等の手法により、プリント配線基板上にＡｌパターンを配線して形成される。
【００２８】
（通信方法）
次に、第１実施形態の通信システム１０の基本的な通信方法について説明する。
【００２９】
（静電結合側リーダライタ部２９及び静電結合方式ＩＣカード４０間の接続）
静電結合側リーダライタ部２９の導電部材３２Ａ，３２Ｂ及び静電結合方式ＩＣカード４０の導電プレート４２Ａ，４２Ｂは、導電部材３２Ａ、３２Ｂと導電プレート４２Ａ、４２Ｂとを向かい合わせる事により、コンデンサプレートとして機能して、両者の間が静電結合方式により非接触で接続され、情報の伝達をすることができる。
静電結合方式ＩＣカードに具備される第１ＩＣチップ４１は、ＩＳＯ／ＩＥＣ１４４４３、１５６９３、１８０９２のいずれかに規格化される電磁誘導方式の通信が可能であり、通信には１３．５６ＭＨｚの信号周波数が用いられる。
この場合、リーダライタ２１の回路には、Ｒ／Ｗループアンテナ２１ａによって、共振周波数の信号が発生する。Ｒ／Ｗループアンテナ２１ａによってリーダライタ２１が接続されているため、リーダライタ２１の発生する交流信号が効率よくＲ／Ｗループアンテナ２１ａおよび導電部材３２Ａ、３２Ｂに伝達する。
【００３０】
導電プレート４２Ａ，４２Ｂが導電部材３２Ａ，３２Ｂに接近することにより、導電部材３２Ａ，３２Ｂ及び導電プレート４２Ａ，４２Ｂが静電結合し、リーダライタ２１の発生する交流信号が導電プレート４２Ａ、４２Ｂに接続しているＩＣチップ４１に伝達し、第１ＩＣチップ４１は駆動電力を得る。また、通信装置２０からの送信データを第１ＩＣチップ４１に伝達でき、一方、第１ＩＣチップ４１からの返信データを、通信装置２０に伝達できる。
このようにして、制御部２７は、一対の導電部材３２Ａ，３２Ｂが一対の導電プレート４２Ａ，４２Ｂに静電結合することにより、静電結合方式ＩＣカード４０の第１ＩＣチップ４１との間で通信処理を行う。
【００３１】
（電磁誘導側リーダライタ部２８及び電磁誘導方式ＩＣカード５０間の接続）
電磁誘導側リーダライタ部２８のＲ／Ｗループアンテナ２１ａ及び電磁誘導方式ＩＣカード５０のカード側ループアンテナ５２の間は、電磁誘導方式により非接触で接続され、情報の送受信をすることができる。電磁誘導方式ＩＣカード５０の通信方式は、ＩＳＯ／ＩＥＣ１４４４３，１５６９３，１８０９２にて規格化されており、１３．５６ＭＨｚの信号周波数が用いられる。
なお、Ｒ／Ｗループアンテナ２１ａ及びカード側ループアンテナ５２の巻数は、３巻程度である例を説明したが、これに限定されない。両者の間が電磁誘導方式により非接触で接続される巻数であればよく、巻数は、例えば１巻以上であればよい。
【００３２】
カード側ループアンテナ５２がＲ／Ｗループアンテナ２１ａに接近することにより起電力が発生し、第２ＩＣチップ５１に駆動電力が伝達される。また、通信装置２０からの送信データを第２ＩＣチップ５１に伝達でき、一方、第２ＩＣチップ５１からの返信データを、通信装置２０に伝達できる。
このようにして、制御部２７は、Ｒ／Ｗループアンテナ２１ａがカード側ループアンテナ５２との間で電磁誘導方式により通信することにより、電磁誘導方式ＩＣカード５０の第２ＩＣチップ５１との間で通信処理を行う。この場合の通信可能距離は、例えば、数十ｍｍ程度である。
【００３３】
（静電結合側リーダライタ部２９と静電結合方式ＩＣカード４０との間、及び、電磁誘導側リーダライタ部２８と電磁誘導方式ＩＣカード５０との間での同時通信）
電磁誘導側リーダライタ部２８のＲ／Ｗループアンテナ２１ａと静電結合側リーダライタ部２９の導電部材３２Ａ，３２Ｂとは、鉛直方向Ｚから見た場合に、重ならない位置に配置されている。そのため、制御部２７は、一対の導電部材３２Ａ，３２Ｂが一対の導電プレート４２Ａ，４２Ｂに静電結合することで静電結合方式ＩＣカード４０の第１ＩＣチップ４１との間で通信処理をすること、及び、Ｒ／Ｗループアンテナ２１ａがカード側ループアンテナ５２との間で電磁誘導方式により通信することで電磁誘導方式ＩＣカード５０の第２ＩＣチップ５１との間で通信処理をすること、のいずれか一方の通信処理を実行できるし、両方の通信処理を同時期に実行することもできる。
【００３４】
なお、ここで「両方の通信処理を同時期に実行する」とは、電磁誘導方式ＩＣカード５０及び静電結合方式ＩＣカード４０をともに通信装置２０に接近させ、同時期に通信処理を実行することを意味する。言い換えると、通信装置２０と電磁誘導方式ＩＣカード５０との間、及び、通信装置２０と静電結合方式ＩＣカード４０との間の通信において、例えば、両方の通信処理が実行されるタイミングが完全に一致していなくてもよく、同時期に通信処理が実行されていればよい。また、この場合に、制御部２７は、これらの情報の衝突を回避するためのアンチコリジョン機能を備えることが好ましい。
【００３５】
以上により、通信システム１０は、通信装置２０の制御部２７と電磁誘導方式ＩＣカード５０の第２ＩＣチップ５１との間、及び、通信装置２０の制御部２７と静電結合方式ＩＣカード４０の第１ＩＣチップ４１との間で、通信処理を行うことができる。
【００３６】
以上説明したように、本実施形態の通信システム１０は、以下の効果を奏する。
（１）通信装置２０の導電部材３２Ａ，３２Ｂと静電結合方式ＩＣカード４０の導電プレート４２Ａ，４２Ｂとを向かい合わせ、静電結合させることにより、通信装置２０と静電結合方式ＩＣカード４０の第１ＩＣチップ４１との間で信号を伝達できる。
また、静電結合方式ＩＣカード４０は、アンテナを具備しておらず、導電プレート４２Ａ，４２Ｂのみを具備しているシンプルかつ小型構造であるため、低コストで製造できる。このため、静電結合方式ＩＣカード４０の発行枚数が多くなる程、コスト面で有利になり、低コストでシステムを構築できる。
【００３７】
（２）市場で多く流通している電磁誘導通信装置を転用できるので、容易かつ低コストでシステムを構築できる。
また、新たな静電結合方式のシステムを導入する場合であっても、電磁誘導方式のＩＣカードに用いられるＩＣチップを流用でき、かつ、既存の非接触ＩＣ用のリーダライタを流用できる。これにより、静電結合用の特殊なＩＣチップと、静電結合方式の通信装置とを新たに開発する必要なく、システムを構築できる。
【００３８】
（３）新たな静電結合方式のシステムを導入する場合であっても、Ｒ／Ｗループアンテナ２１ａと電磁誘導方式ＩＣカード５０のカード側ループアンテナ５２とが電磁誘導することにより、通信装置２０は、従来の電磁誘導方式ＩＣカード５０により通信することもできる。これにより、静電結合方式ＩＣカード４０及び従来の電磁誘導方式ＩＣカード５０のいずれのＩＣカードも使用できる。従って、新たに静電結合方式のシステムを導入する場合に、従来の電磁誘導方式ＩＣカード５０を利用でき、従来からのシステムの変更をスムーズに行うことができる。
【００３９】
（４）電磁誘導側リーダライタ部２８と電磁誘導方式ＩＣカード５０との間、静電結合側リーダライタ部２９と静電結合方式ＩＣカード４０との間において、同時期に通信できる。
また、通信装置２０は、Ｒ／Ｗループアンテナ２１ａと導電部材３２Ａ，３２Ｂとが別々の構成である。そのため、従来の電磁誘導方式のＩＣカードを２枚重ねて読み取ることができる従来のシステムと比べて、２枚のＩＣカードを重ねずに読み取ることができる。このため、２枚のＩＣカードを重ねずに通信させることで、２枚のＩＣカードと同時期に通信する際の伝達効率の低下を抑制でき、効率よく安定した通信を行うことができる。
【００４０】
（第２実施形態）
次に、本発明を適用した第２実施形態について説明する。図２は、第２実施形態のレジスタシステム２１０のブロック図である。図３は、第２実施形態のレジスタシステム２１０の斜視図である。
第２実施形態は、第１実施形態の通信システム１０を利用したレジスタシステム２１０である。以下の説明及び図面において、前述した第１実施形態と同様の機能を果たす部分には、同一の符号又は末尾に同一の符号を付して、重複する説明を適宜省略する。
【００４１】
（レジスタシステム２１０の構成）
第２実施形態のレジスタシステム２１０は、静電結合方式ＩＣカード２４０及び電磁誘導方式ＩＣカード２５０のいずれとも通信することができるシステムである。
第２実施形態のレジスタシステム２１０は、兼用レジスタ２２０、静電結合方式ＩＣカード２４０（第１情報記憶媒体）、電磁誘導方式ＩＣカード２５０（第２情報記憶媒体）を備える。
レジスタシステム２１０は、サーバ２０２及び複数の電磁誘導レジスタ２０３が接続された従来のシステムに、兼用レジスタ２２０が接続されて構成される。レジスタシステム２１０は、ＩＣチップ２４１（第１ＩＣチップ）が内蔵された静電結合方式ＩＣカード２４０及びＩＣチップ２５１（第２ＩＣチップ）が内蔵された電磁誘導方式ＩＣカード２５０の両方が使用可能である。
【００４２】
サーバ２０２は、サーバ記憶部２０２ａ、サーバ制御部２０２ｂを備える。
サーバ記憶部２０２ａは、サーバ２０２の動作に必要なプログラム、情報等を記憶するハードディスク、半導体メモリ素子等の記憶装置である。
【００４３】
サーバ記憶部２０２ａは、例えば、静電結合方式ＩＣカード２４０及び電磁誘導方式ＩＣカード２５０の情報（残金、利用者の氏名、認証情報等）を記憶する。サーバ記憶部２０２ａの情報は、静電結合方式ＩＣカード２４０及び電磁誘導方式ＩＣカード２５０の情報を更新する場合（残金の補充や認証情報の照合等）に適宜参照される。
【００４４】
サーバ制御部２０２ｂは、サーバ２０２を統括的に制御するための制御部であり、例えばＣＰＵ等から構成される。サーバ制御部２０２ｂは、サーバ記憶部２０２ａに記憶された各種プログラムを適宜読み出して処理を実行する。
【００４５】
兼用レジスタ２２０は、静電結合方式ＩＣカード２４０との間、及び、電磁誘導方式ＩＣカード２５０との間の通信を可能にするレジスタである。兼用レジスタ２２０は、図２に示すように、従来の電磁誘導レジスタ２０３のうちのリーダライタを、リーダライタ２２１に置き換えることにより構成される。例えば、従来の電磁誘導レジスタ２０３のリーダライタがケーブル等で接続されていれば、リーダライタ２２１に簡単に交換できる。
なお、レジスタシステム２１０は、従来の電磁誘導レジスタ２０３を利用せずに、複数の兼用レジスタ２２０のみから構成してもよい。また、兼用レジスタ２２０は、従来の電磁誘導レジスタ２０３を利用するものではなく、新たに専用に設けた装置でもよい。
【００４６】
兼用レジスタ２２０は、図２及び図３に示すように、レジスタ本体２２４、リーダライタ２２１、操作部２２２、表示部２２３、レジスタ記憶部２２６、レジスタ制御部２２７を備える。
リーダライタ２２１は、レジスタ本体２２４の筐体上部に配置されている。リーダライタ２２１は、外装が直方体状の筐体により形成されている。
【００４７】
リーダライタ２２１は、静電結合側リーダライタ部２２９、電磁誘導側リーダライタ部２２８を備える。静電結合側リーダライタ部２２９は、静電結合方式ＩＣカード２４０との間で情報を送受信できる。電磁誘導側リーダライタ部２２８は、電磁誘導方式ＩＣカード２５０との間で情報を送受信できる。
【００４８】
静電結合側リーダライタ部２２９は、導電部材２３２Ａ，２３２Ｂを備える。静電結合側リーダライタ部２２９の上側Ｚ２において、リーダライタ２２１の筐体の上側Ｚ２の表面には、静電結合側読取面２２９ａが形成されている。
【００４９】
図３に示すように、静電結合側読取面２２９ａは、静電結合方式ＩＣカード２４０の導電プレート２４２Ａ，２４２Ｂを導電部材２３２Ａ，２３２Ｂに接近させるために、利用者が静電結合方式ＩＣカード２４０をかざす（接近させる）ための面である。
利用者が静電結合方式ＩＣカード２４０を静電結合側読取面２２９ａに接近させることにより、静電結合方式ＩＣカード２４０と兼用レジスタ２２０との間で通信することができる。
【００５０】
電磁誘導側リーダライタ部２２８は、Ｒ／Ｗループアンテナ２２１ａ（通信装置側ループアンテナ）を備える。電磁誘導側リーダライタ部２２８の上側Ｚ２において、図３に示すように、リーダライタ２２１の筐体の上側Ｚ２の表面には、電磁誘導側読取面２２８ａが形成されている。
【００５１】
電磁誘導側読取面２２８ａは、電磁誘導方式ＩＣカード２５０のカード側ループアンテナ２５２（記憶媒体側ループアンテナ）をＲ／Ｗループアンテナ２２１ａに接近させるために、利用者が電磁誘導方式ＩＣカード２５０をかざす（接近させる）ための面である。
利用者が電磁誘導方式ＩＣカード２５０を電磁誘導側読取面２２８ａに接近させることにより、電磁誘導方式ＩＣカード２５０と兼用レジスタ２２０との間で通信することができる。
【００５２】
操作部２２２は、店舗の店員等が、価格等の数値を入力するテンキーや、兼用レジスタ２２０を操作するボタン等を備える入力装置である。
表示部２２３は、操作画面を出力する液晶表示装置等の表示装置である。
【００５３】
レジスタ記憶部２２６は、兼用レジスタ２２０の動作に必要なプログラム、情報等を記憶するための半導体メモリ素子等の記憶装置である。
レジスタ制御部２２７は、兼用レジスタ２２０を統括的に制御するための制御部であり、例えばＣＰＵ等から構成される。レジスタ制御部２２７は、レジスタ記憶部２２６に記憶された各種プログラムを適宜読み出して実行することにより、前述したハードウェアと協働し、本発明に係る各種機能を実現している。
【００５４】
次に、図２を参照して、静電結合方式ＩＣカード２４０及び電磁誘導方式ＩＣカード２５０について説明する。
静電結合方式ＩＣカード２４０のＩＣチップ２４１は、ＩＣチップ記憶部２４１ａ、ＩＣチップ制御部２４１ｂ、アナログ回路部２４１ｃを備える。
ＩＣチップ記憶部２４１ａは、静電結合方式ＩＣカード２４０の動作に必要なプログラム、情報等を記憶するための記憶回路である。ＩＣチップ記憶部２４１ａは、例えば、静電結合方式ＩＣカード２４０の所有者の名前、残金、認証情報等を記憶する。
ＩＣチップ制御部２４１ｂは、静電結合方式ＩＣカード２４０を統括的に制御するための制御部であり、例えばＣＰＵ等から構成される。ＩＣチップ制御部４１ｂは、ＩＣチップ記憶部２４１ａに記憶された各種プログラムを適宜読み出して実行することにより、本発明に係る各種機能を実現している。
アナログ回路部２４１ｃは、整流回路、変調回路、復調回路、ＣＬＫ抽出回路により構成されており、ＩＣチップ入出力端子を介して入力された信号よりＡＤ変換、クロック生成を行い、ＩＣチップ制御部２４１ｂへの電圧供給、クロック供給、データ入出力を行う。
【００５５】
電磁誘導方式ＩＣカード２５０のＩＣチップ２５１は、ＩＣチップ記憶部２５１ａ、ＩＣチップ制御部２５１ｂ、アナログ回路部２５１ｃを備える。
電磁誘導方式ＩＣカード２５０のＩＣチップ２５１は、静電結合方式ＩＣカード２４０のＩＣチップ２４１と同様の構成である。すなわち、ＩＣチップ記憶部２５１ａはＩＣチップ記憶部２４１ａと同様の構成であり、ＩＣチップ制御部２５１ｂはＩＣチップ記憶部２４１ａと同様の構成であり、ＩＣチップ制御部２５１ｂはＩＣチップ制御部２４１ｂと同様の構成であり、アナログ回路部２５１ｃはアナログ回路部２４１ｃと同様の構成である。
【００５６】
（レジスタシステム２１０の動作）
次に、第２実施形態のレジスタシステム２１０の動作について説明する。
図４は、第２実施形態のレジスタシステム２１０の動作のフローチャートである。
（料金算出処理）
ステップＳ（以下、単に「Ｓ」という）１０１において、利用者が買物を終了すると、店舗の店員等がレジスタの操作部２２２を操作して、料金を算出する。算出した料金は、表示部２２３に表示される。
Ｓ１０２において、利用者が静電結合方式ＩＣカード２４０を手に持って（把持して）、静電結合側読取面２２９ａにかざす（接近させる）と、導電プレート２４２Ａ，２４２Ｂと導電部材２３２Ａ，２３２Ｂとが静電結合する。
【００５７】
（通信開始処理）
Ｓ１０３において、レジスタ制御部２２７は、静電結合方式ＩＣカード２４０との通信を開始する。なお、レジスタ制御部２２７は、ポーリングコマンドを継続して送信しており、静電結合方式ＩＣカード２４０の導電プレート２４２Ａ，２４２Ｂが導電部材２３２Ａ，２３２Ｂに接近されることによって、静電結合方式ＩＣカード２４０の応答を得て、静電結合方式ＩＣカード２４０との通信処理を開始する。
【００５８】
（清算処理）
Ｓ１０４において、レジスタ制御部２２７は、通信処理として、静電結合方式ＩＣカード２４０のＩＣチップ２４１の情報の読み出し、書き込みを開始する。例えば、レジスタ制御部２２７は、ＩＣチップ２４１の情報を読み出して残金の確認、精算後の残金の更新を行う。
【００５９】
Ｓ１０５において、利用者が静電結合方式ＩＣカード２４０を静電結合側読取面２２９ａから離間させると、兼用レジスタ２２０及び静電結合方式ＩＣカード２４０間の静電結合が切断され、処理が終了する。
なお、利用者が電磁誘導方式ＩＣカード２５０を手に持って（把持して）、電磁誘導側読取面２２８ａに接近させた場合にも全体として同様の処理が行われる。また、通信処理としては、カード側ループアンテナ２５２とＲ／Ｗループアンテナ２２１ａとが電磁誘導による通信をする処理が行なわれる。
【００６０】
以上説明したように、本実施形態のレジスタシステム２１０においては、兼用レジスタ２２０は、従来の電磁誘導レジスタ２０３のうちのリーダライタを、リーダライタ２２１に置き換えることにより、容易かつ低コストでシステムを構築できる。
また、レジスタシステム２１０では、静電結合方式ＩＣカード２４０及び従来の電磁誘導方式ＩＣカード５０のいずれのＩＣカードも使用できる。従って、新たに静電結合方式ＩＣカード２４０のレジスタシステムを導入する場合に、従来の電磁誘導方式ＩＣカード２５０を利用でき、従来からのシステムの変更をスムーズに行うことができる。
【００６１】
（第３実施形態）
次に、本発明を適用した第３実施形態について説明する。
第３実施形態は、第２実施形態のレジスタシステム２１０において、取引用ＩＣカード３４０として第２実施形態の静電結合方式ＩＣカード２４０（第１情報記憶媒体）を使用し、かつ、認証用ＩＣカード３５０として第２実施形態の電磁誘導方式ＩＣカード２５０（第１情報記憶媒体）を使用したレジスタシステム３１０である。
以下の説明及び図面において、前述した第２実施形態と同様の機能を果たす部分には、同一の符号又は末尾に同一の符号を付して、重複する説明を適宜省略する。
図５は、第３実施形態のレジスタシステム３１０の斜視図である。
図６は、第３実施形態のレジスタシステム３１０の動作のフローチャートである。
【００６２】
（レジスタシステム３１０の構成）
第３実施形態のレジスタシステム３１０については、第２実施形態のレジスタシステム２１０と異なる点について説明する。
第３実施形態のレジスタシステム３１０で用いられるＩＣカードは、取引用ＩＣカード（静電結合方式ＩＣカード）３４０、認証用ＩＣカード（電磁誘導方式ＩＣカード）３５０である。取引用ＩＣカード３４０は、認証用ＩＣカード３５０が認証された場合に通信が許可されるＩＣカードであって、金銭の取引を行うためのＩＣカードである。認証用ＩＣカード３５０は、認証情報を有しており、取引用ＩＣカード３４０の通信が実行される前に、認証情報が認証されるＩＣカードである。
【００６３】
（レジスタシステム３１０の動作）
次に、第３実施形態のレジスタシステム３１０の動作について説明する。
（料金算出処理）
Ｓ２０１において、利用者が買物を終了すると、店舗の店員等がレジスタの操作部２２２を操作して、料金を算出する。算出した料金は、表示部２２３に表示される。
Ｓ２０２において、利用者が、認証用ＩＣカード３５０を手に持って（把持して）電磁誘導側読取面２２８ａにかざす（接近させる）。
これにより、カード側ループアンテナ２５２とＲ／Ｗループアンテナ２２１ａとが電磁誘導による通信をする。
【００６４】
（通信開始処理、読取処理）
Ｓ２０３において、レジスタ制御部２２７は、認証用ＩＣカード３５０との通信を開始する。そして、レジスタ制御部２２７は、認証用ＩＣカード３５０を認識して、認証用ＩＣカード３５０のＩＣチップ２５１に記憶された認証情報を通信により読み取る読取処理を行う。
【００６５】
Ｓ２０４において、レジスタ制御部２２７は、認証用ＩＣカード３５０の認証情報をサーバ２０２に送信する。
Ｓ２０５において、サーバ制御部２０２ｂは、レジスタ制御部２２７から送信された認証情報が、サーバ記憶部２０２ａに存在するかを判定して、Ｓ２０６において、その判定結果を兼用レジスタ２２０に送信する。
【００６６】
（認証処理）
Ｓ２０７において、レジスタ制御部２２７は、読取処理の認証情報に基づいて、認証用ＩＣカード３５０の認証情報を判定する認証処理を行う。
レジスタ制御部２２７は、サーバ２０２から送信された判定結果が、サーバ記憶部２０２ａの認証情報と照合して認証情報を認証した場合には（Ｓ２０７：ＹＥＳ）、Ｓ２０８に進んで、取引用ＩＣカード３４０の通信を許可する。
一方、レジスタ制御部２２７は、サーバ２０２から送信された判定結果が、サーバ記憶部２０２ａに認証情報が存在せずに認証情報を認証しない場合には（Ｓ２０７：ＮＯ）、取引用ＩＣカード３４０と兼用レジスタ２２０との間の通信を許可せずに、処理を終了する（Ｓ２１０）。この場合、利用者は、取引用ＩＣカード３４０を使用することができない。
【００６７】
（通信許可処理）
Ｓ２０８において、レジスタ制御部２２７は、取引用ＩＣカード３４０と兼用レジスタ２２０との間の通信を許可する処理を行う。
（通信開始処理）
Ｓ２０９において、利用者が取引用ＩＣカード３４０を手に持って（把持して）静電結合側読取面２２９ａにかざす（接近させる）と、取引用ＩＣカード３４０は、取引用ＩＣカード３４０と兼用レジスタ２２０との間の通信が許可されているので、兼用レジスタ２２０との通信を開始する。
【００６８】
（清算処理）
Ｓ２１０において、レジスタ制御部２２７は、通信処理として、取引用ＩＣカード３４０のＩＣチップ２４１の情報の読み出し、書き込みを開始する。例えば、レジスタ制御部２２７は、ＩＣチップ２４１の情報を読み出して残金の確認、精算後の残金の更新を行う。
【００６９】
Ｓ２１１において、利用者が取引用ＩＣカード３４０を静電結合側読取面２２９ａから離間させると、兼用レジスタ２２０及び取引用ＩＣカード３４０間の静電結合が切断され、処理が終了する（Ｓ２１２）。
【００７０】
以上説明したように、本実施形態のレジスタシステム３１０は、認証用ＩＣカード３５０の認証情報を読み取り、認証用ＩＣカード３５０の認証情報が認証された場合に、取引用ＩＣカード３４０と兼用レジスタ２２０との通信を許可する。これにより、取引用ＩＣカード３４０と兼用レジスタ２２０との通信処理のセキュリティ性を向上させることができる。
【００７１】
（第４実施形態）
次に、本発明を適用した第４実施形態について説明する。図７は、第４実施形態の通信装置４２０の平面図である。
第４実施形態は、第１実施形態の通信システム１０を利用した通信システム４１０である。以下の説明及び図面において、前述した第１実施形態と同様の機能を果たす部分には、同一の符号又は末尾に同一の符号を付して、重複する説明を適宜省略する。
【００７２】
（通信システム４１０の構成）
第４実施形態の通信システム４１０については、第１実施形態の通信システム１０と異なる点について説明する。
一対の導電部材４３２Ａ，４３２Ｂは、前後方向Ｙ（一対の導電部材４３２Ａ，４３２Ｂが並ぶ方向（左右方向Ｘ）と直交する方向である一方向）に長い。その長さは、３枚の静電結合方式ＩＣカード４４０−１，４４０−２，４４０−３を短辺方向Ｂが前後方向Ｙに沿った状態で、前後方向Ｙに並べて載置できる程度である。このため、一対の導電部材４３２Ａ，４３２Ｂ上には、３対の導電プレート４４２Ａ（４４２Ａ−１〜４４２Ａ−３），４４２Ｂ（４４２Ｂ−１〜４４２Ｂ−３）を配置できる。
【００７３】
（静電結合側リーダライタ部４２９と３枚の静電結合方式ＩＣカード４４０−１，４４０−２，４４０−３との間での同時通信）
前述したように、静電結合側リーダライタ部４２９の一対の導電部材４３２Ａ，４３２Ｂ上には、３対の導電プレート４４２Ａ，４４２Ｂが配置できる。このため、一対の導電部材４３２Ａ，４３２Ｂは、各導電プレート４４２Ａ，４４２Ｂとの間で静電結合できる。
これにより、制御部４２７は、静電結合方式ＩＣカード４４０−１，４４０−２，４４０−３の３つの第１ＩＣチップ４４１−１，４４１−２，４４１−３との間で通信処理を実行することができる。
【００７４】
通信システム４１０は、例えば、盤面上に複数のゲームカードを載置するゲームシステムに利用できる。この場合、以下のようにゲームシステムを構成すればよい。
一対の導電部材４３２Ａ,４３２Ｂ：盤面内に設ける。
アイテムカード：静電結合方式ＩＣカード４４０によって形成する。
キャラクタカード：電磁誘導方式ＩＣカードにより形成する。
【００７５】
これにより、ゲームシステムは、電磁誘導方式ＩＣカードに記憶されたキャラクタに対して、導電部材４３２Ａ,４３２Ｂが読み取ったアイテムカードのアイテムを、装備させるようなシステムを構築できる。また、この場合には、複数のアイテムカードの組み合わせに応じて、アイテムの内容を変化させることができる。また、ゲームシステムは、プレイ状況に応じて、アイテムカードを交換できるようにしてもよい。
【００７６】
（第１実施形態と比較例との比較）
第１実施形態における通信システム１０の静電結合方式の通信システムと、比較例との通信可能距離の比較を行った。
図８は、比較例の通信システム５１０の基本構成を説明する図である。
比較例の通信システム５１０は、以下に説明するように、リーダライタ５２１と中継通信装置５３０との間を電磁誘導方式で通信し、さらに、中継通信装置５３０とＩＣカード４０との間を静電結合方式で通信するものである。
なお、ＩＣカード４０は、第１実施形態と同様のものを用いた。
【００７７】
（リーダライタ５２１及び中継通信装置５３０間の接続）
Ｒ／Ｗループアンテナ５２１ａ及び中継ループアンテナ５３１の間は、電磁誘導方式により非接触で接続され、情報の送受信をすることができる。
（中継通信装置５３０及びＩＣカード４０間の接続）
中継ループアンテナ５３１がＲ／Ｗループアンテナ５２１ａに接近することにより起電力が発生し、中継ループアンテナ５３１の両端に接続された導電部材５３２Ａ，５３２Ｂ及び導電プレート４２Ａ，４２Ｂが静電結合し、ＩＣチップ４１に駆動電力が伝達される。また、電磁誘導通信装置５２０からの送信データをＩＣチップ４１に伝達でき、一方、ＩＣチップ４１からの返信データを中継通信装置５３０を介して、電磁誘導通信装置５２０に伝達できる。
以上により、比較例の通信システム５１０は、制御部とＩＣカード４０との間で、通信処理を行うことができる。
【００７８】
（第１実施形態及び比較例の通信可能距離の比較）
静電結合方式で通信を行う通信システムにおいて、比較例の通信システム５１０の通信可能距離は、導電部材５３２Ａ，５３２Ｂの上面と、導電プレート４２Ａ，４２Ｂの下面との距離Ｌ２が、２ｍｍであった。第１実施形態の通信システム１０（図１参照）の通信可能距離は、導電部材３２Ａ，３２Ｂの上面と、導電プレート４２Ａ，４２Ｂの下面との距離Ｌ１が、４ｍｍであった。
これにより、第１実施形態の通信システム１０では、比較例の通信システム５１０よりも通信可能距離に関する性能を向上できることを確認できた。これは、比較例では、Ｒ／Ｗループアンテナ５２１ａ及び導電部材５３２Ａ、５３２Ｂが接続された中継ループアンテナ５３１間で電力損失が生じてしまうが、第１実施形態では、静電結合方式で通信を行う場合には、リーダライタ２１の回路に接続される導電部材３２Ａ、３２Ｂと直接接続されているため電力損失を軽減でき、電力利用の効率を向上できたためと考えられる。
【００７９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００８０】
（変形形態）
（１）第１実施形態において、電磁誘導側リーダライタ部２８及び電磁誘導方式ＩＣカード５０は、電磁誘導方式により通信する例を示したが、これに限定されない。例えば、電磁誘導側リーダライタ部２８及び電磁誘導方式ＩＣカード５０は、電磁結合方式によって通信してもよい。この場合には、電磁誘導方式ＩＣカード５０に設けるＩＣチップを、電磁結合方式によって通信できるタイプにすればよい。
なお、電磁結合は、原理的には電磁誘導と同じである。また、電磁結合方式の通信とは、電磁誘導方式ＩＣカード５０側のカード側ループアンテナ５２と電磁誘導側リーダライタ部２８側のＲ／Ｗループアンテナ２１ａとを対向させ、静止状態で電磁誘導により通信することをいう。
【００８１】
（２）第３実施形態において、取引用ＩＣカード３４０として静電結合方式ＩＣカードを使用し、認証用ＩＣカード３５０として電磁誘導方式ＩＣカードを使用したが、これに限定されない。取引用ＩＣカードとして電磁誘導方式ＩＣカードを使用し、認証用ＩＣカードとして静電結合方式ＩＣカードを使用してもよい。この場合にも、第３実施形態と同様に、ＩＣカードのセキュリティ性を向上させることができる。
【００８２】
（３）第２及び第３実施形態において、通信装置は、店舗等のレジスタシステムに設けられている例を示したが、これに限定されない。このシステムは、電子マネー、社員証システム、物流管理等の各種システム等の様々なシステムに適用できる。例えば、社員証システムに、電子マネーに関する電磁誘導方式のリーダライタが設けられている場合には、実施形態と同様に、このリーダライタに静電結合方式のリーダライタを設ければ、容易に従来の社員証システムの適用できるし、また新たな社員証システムであっても、低コストで導入できる。
（４）第４実施形態において、３枚の静電結合方式ＩＣカード４４０−１，４４０−２，４４０−３を、一対の導電部材４３２Ａ，４２２Ｂの前後方向Ｙに沿って並べて配置する構成としたが、これに限定されない。２枚の静電結合方式ＩＣカードを、一対の導電部材４３２Ａ，４２２Ｂの前後方向Ｙに沿って並べて配置する構成としてもよいし、４枚以上の静電結合方式ＩＣカードを、一対の導電部材４３２Ａ，４２２Ｂの前後方向Ｙに沿って並べて配置する構成としてもよい。
また、第４実施形態において、導電部材４３２Ａ，４２２Ｂを複数設けて、各導電部材４３２Ａ間を電気ケーブル等で電気的に接続し、各導電部材４３２Ａ間を電気ケーブル等で電気的に接続してもよい。これにより、各導電部材４３２Ａ，４２２Ｂ上に１枚の静電結合方式ＩＣカード４４０をそれぞれ配置でき、全体として、複数の静電結合方式ＩＣカード４４０を載置できる。この場合にも、制御部４２７は、各導電部材４３２Ａ，４２２Ｂ上に配置された各静電結合方式ＩＣカード４４０との間で通信処理することができる。
【符号の説明】
【００８３】
１０  通信システム
２０，４２０  通信装置
２１，２２１，４２１  リーダライタ
２１ａ，２２１ａ，４２１ａ  Ｒ／Ｗループアンテナ（通信装置側ループアンテナ）
２７，４２７  制御部
３２Ａ，３２Ｂ，２３２Ａ，２３２Ｂ，４３２Ａ，４３２Ｂ  導電部材
４０，２４０，４４０  静電結合方式ＩＣカード（第１情報記憶媒体）
４１，２４１，４４１  第１ＩＣチップ
４２Ａ，４２Ｂ，２４２Ａ，２４２Ｂ，４４２Ａ，４４２Ｂ  導電プレート
５０，２５０  電磁誘導方式ＩＣカード（第２情報記憶媒体）
５１，２５１  第２ＩＣチップ
５２，２５２  カード側ループアンテナ（記憶媒体側ループアンテナ）
２１０，３１０  レジスタシステム（通信システム）
２２０  兼用レジスタ（通信装置）
２２７  レジスタ制御部（制御部）
３４０  取引用ＩＣカード（静電結合方式ＩＣカード、第１情報記憶媒体）
３５０  認証用ＩＣカード（電磁誘導方式ＩＣカード、第２情報記憶媒体）
【図１】
0005895489.tif 000002
【図２】
0005895489.tif 000003
【図３】
0005895489.tif 000004
【図４】
0005895489.tif 000005
【図５】
0005895489.tif 000006
【図６】
0005895489.tif 000007
【図７】
0005895489.tif 000008
【図８】
0005895489.tif 000009